(57)【要約】【課題】  フレキシブルプリント配線板に疵または押圧による痕跡が生じてしまうことを防止することのできる光ピックアップ装置およびこれを備える電子機器を提供することである。【解決手段】  光ピックアップ装置１０は、光源１４と、フレキシブルプリント配線板１２と、ＦＰＣ収容部１３とを含んで構成される。光源１４は、光を発し、フレキシブルプリント配線板１２は、光源１４に対して電力を供給するための電気供給路の一部を成す。ＦＰＣ収容部１３は、フレキシブルプリント配線板１２の少なくとも一部を巻き取って収容する。【選択図】      図１
2011096308.tif 000002
【特許請求の範囲】
【請求項１】
光を発する光源と
前記光源に接続される光源側端子部と、前記光源に対する電力の供給部の少なくとも一部を成す電気回路部に接続される回路側端子部とを有し、光源に対して電力を供給する電気供給路の一部を成すフレキシブルプリント配線板と、
前記フレキシブルプリント配線板の少なくとも一部を巻き取って収容するＦＰＣ収容部とを有することを特徴とする光ピックアップ装置。
【請求項２】
前記ＦＰＣ収容部は、前記フレキシブルプリント配線板のうち前記光源側端子部および前記回路側端子部のいずれか一方を収容し、前記回路側端子部および光源側端子部の間の途中位置の部分が挿通される開口が内部空間および外部空間を連通して形成され、
前記ＦＰＣ収容部に収容される端子部に対して電気的に接続して設けられる給電部をさらに含むことを特徴とする請求項１に記載の光ピックアップ装置。
【請求項３】
前記ＦＰＣ収容部の外部空間において、フレキシブルプリント配線板の変位を抑制する浮き上がり防止機構をさらに含むことを特徴とする請求項１または２に記載の光ピックアップ装置。
【請求項４】
フレキシブルプリント配線板および前記ＦＰＣ収容部は、前記光源および前記電気回路部に対して着脱可能であることを特徴とする請求項１〜３のいずれか１つに記載の光ピックアップ装置。
【請求項５】
前記光源側端子部は、予め定める形状および大きさの光源側接続部を介して前記光源に接続され、
前記回路側端子部は、予め設定される形状および大きさの回路側接続部を介して前記電気回路部に接続されることを特徴とする請求項４に記載の光ピックアップ装置。
【請求項６】
前記ＦＰＣ収容部は、複数種類のフレキシブルプリント配線板のうちから択一的に選択されるいずれか１つのフレキシブルプリント配線板を収容することを特徴とする請求項４または５に記載の光ピックアップ装置。
【請求項７】
前記フレキシブルプリント配線板の少なくとも一部を巻き取る向きの回転駆動力をＦＰＣ収容部に収容される端子部に付与することによって、前記フレキシブルプリント配線板のうち前記ＦＰＣ収容部に収容される部分の割合を増大させる回転駆動部をさらに含むことを特徴とする請求項１〜６のいずれか１つに記載の光ピックアップ装置。
【請求項８】
前記光源から発せられる光を光記録媒体に導く複数の光学系部品は全体として一体的な光学系部品群として、前記フレキシブルプリント配線板およびＦＰＣ収容部とは別体に形成されることを特徴とする請求項４〜７のいずれか１つに記載の光ピックアップ装置。
【請求項９】
請求項８に記載の光ピックアップ装置と、
前記電気回路部と、
前記光学系部品群を変位させるアクチュエータとを備えることを特徴とする電子機器。
【発明の詳細な説明】
【技術分野】
【０００１】
本発明は、光を用いて記録媒体から信号を取出す光ピックアップ装置およびこれを備える電子機器に関する。
【背景技術】
【０００２】
図１０は、第１の従来技術に係る光ピックアップ装置に搭載されたフレキシブルプリント配線板１を表す断面図である。第１の従来技術において光ピックアップ装置は、フレキシブルプリント配線板１を含むので、フレキシブルプリント配線板１を介して電力供給および電気的通信を行いながら、アクチュエータの駆動によって光ピックアップ装置の光学系ユニット２は変位することができる。光ピックアップ装置中の光学系ユニット２が変位すると、フレキシブルプリント配線板１は撓み、撓んだ部分によって、フレキシブルプリント配線板１の占める空間的領域が増大する。これによって、フレキシブルプリント配線板１が他の部品に引っ掛かる可能性が高くなるという問題点がある。
【０００３】
第２の従来技術に係る光ピックアップ装置として、フレキシブルプリント配線板の一部が他の部品に引っ掛かるという問題点を解決するために、フレキシブルプリント配線板を１８０度折り曲げるという技術が知られている（たとえば特許文献１参照）。
【先行技術文献】
【特許文献】
【０００４】
【特許文献１】特開２００２−２３０９２１号公報
【発明の概要】
【発明が解決しようとする課題】
【０００５】
第１の従来技術に係る光ピックアップ装置では、フレキシブルプリント配線板が他の部品に引っ掛かる可能性の増大によって、フレキシブルプリント配線板に損傷が生じる可能性が高くなり、また押圧による痕跡も生じる可能性があるという問題点がある。
【０００６】
また第２の従来技術に係る光ピックアップ装置でもフレキシブルプリント配線板は他の部品に接触する可能性をなくすことができないという問題点がある。したがって、フレキシブルプリント配線板に疵または押圧による痕跡が生じてしまう可能性があるという問題点がある。
【０００７】
本発明の目的は、フレキシブルプリント配線板に疵または押圧による痕跡が生じてしまうことを防止することのできる光ピックアップ装置およびこれを備える電子機器を提供することである。
【課題を解決するための手段】
【０００８】
本発明は、光を発する光源と
前記光源に接続される光源側端子部と、前記光源に対する電力の供給部の少なくとも一部を成す電気回路部に接続される回路側端子部とを有し、光源に対して電力を供給するための電気供給路の一部を成すフレキシブルプリント配線板と、
前記フレキシブルプリント配線板の少なくとも一部を巻き取って収容するＦＰＣ収容部とを有することを特徴とする光ピックアップ装置である。
【０００９】
また本発明は、前記ＦＰＣ収容部は、前記フレキシブルプリント配線板のうち前記光源側端子部および前記回路側端子部のいずれか一方を収容し、前記回路側端子部および光源側端子部の間の途中位置の部分が挿通される開口が内部空間および外部空間を連通して形成され、
前記ＦＰＣ収容部に収容される端子部に対して電気的に接続して設けられる給電部をさらに含むことを特徴とする。
【００１０】
また本発明は、前記ＦＰＣ収容部の外部空間において、フレキシブルプリント配線板の変位を抑制する浮き上がり防止機構をさらに含むことを特徴とする。
【００１１】
また本発明は、フレキシブルプリント配線板および前記ＦＰＣ収容部は、前記光源および前記電気回路部に対して着脱可能であることを特徴とする。
【００１２】
また本発明は、前記光源側端子部は、予め定める形状および大きさの光源側接続部を介して前記光源に接続され、
前記回路側端子部は、予め設定される形状および大きさの回路側接続部を介して前記電気回路部に接続されることを特徴とする。
【００１３】
また本発明は、前記ＦＰＣ収容部は、複数種類のフレキシブルプリント配線板のうちから択一的に選択されるいずれか１つのフレキシブルプリント配線板を収容することを特徴とする。
【００１４】
また本発明は、前記フレキシブルプリント配線板の少なくとも一部を巻き取る向きの回転駆動力をＦＰＣ収容部に収容される端子部に付与することによって、前記フレキシブルプリント配線板のうち前記ＦＰＣ収容部に収容される部分の割合を増大させる回転駆動部をさらに含むことを特徴とする。
【００１５】
また本発明は、前記光源から発せられる光を光記録媒体に導く複数の光学系部品は全体として一体的な光学系部品群として、前記フレキシブルプリント配線板およびＦＰＣ収容部とは別体に形成されることを特徴とする。
【００１６】
また本発明は、前記光ピックアップ装置と、
前記電気回路部と、
前記光学系部品群を変位させるアクチュエータとを備えることを特徴とする電子機器である。
【発明の効果】
【００１７】
本発明によれば、ＦＰＣ収容部は、フレキシブルプリント配線板の少なくとも一部を巻き取って収容する。これによって、光ピックアップ装置の組立製造時にフレキシブルプリント配線板の露出する部分を低減することができる。したがって、組立製造時にフレキシブルプリント配線板に損傷が生じることを防止することができる。またフレキシブルプリント配線板が広い範囲に広がることを防止することができるので、フレキシブルプリント配線板が占める空間的領域を低減することができる。したがって組立製造の作業効率を向上させることができる。またフレキシブルプリント配線板が他の部品に引っ掛かることを防止することができる。したがってこれによっても、フレキシブルプリント配線板の損傷を防止することができる。
【００１８】
また本発明によれば、ＦＰＣ収容部は、フレキシブルプリント配線板のうち、光源側端子部および回路側端子部のいずれか一方を収容する。またＦＰＣ収容部には、開口が内部空間および外部空間を連通して形成される。開口には、回路側端子部および光源側端子部の間の途中位置の部分が挿通される。光ピックアップ装置は、給電部をさらに含んで構成される。給電部は、ＦＰＣ収容部に収容される端子部に対して電気的に接続して設けられる。
【００１９】
これによって、フレキシブルプリント配線板の少なくとも一部がＦＰＣ収容部に収容された状態のまま、フレキシブルプリント配線板およびＦＰＣ収容部を実装することができる。したがって、フレキシブルプリント配線板全体をＦＰＣ収容部から取出すことなく実装することができるので、ＦＰＣ収容部によってフレキシブルプリント配線板を保護することができる。またフレキシブルプリント配線板が占める空間的領域を制限した状態において組立製造することができる。
【００２０】
また本発明によれば、光ピックアップ装置は、浮き上がり防止機構をさらに含んで構成される。浮き上がり防止機構は、ＦＰＣ収容部の外部空間において、フレキシブルプリント配線板の変位を抑制する。これによって、光ピックアップ装置を変位させるアクチュエータが駆動し、フレキシブルプリント配線板がＦＰＣ収容部から引き出されたときに、光ピックアップ装置が変位しても、フレキシブルプリント配線板が浮き上がることを防止することができる。これによって、フレキシブルプリント配線板の占める空間的領域が広がることを防止することができる。したがって、フレキシブルプリント配線板が他の部品に引っ掛かることを防止することができ、フレキシブルプリント配線板が損傷を受けることを防止することができる。またフレキシブルプリント配線板が広がりはみ出すことによる美観の低下をも防止することができる。
【００２１】
また本発明によれば、フレキシブルプリント配線板およびＦＰＣ収容部は、光源および電気回路部に対して着脱可能である。これによって、フレキシブルプリント配線板およびＦＰＣ収容部を容易に取換えることができる。したがって、修理する場合および設計変更した場合の取換えも容易に行うことができる。これによって設計変更自体も容易化することができる。したがって、汎用性の高い光ピックアップ装置とすることができる。
【００２２】
また本発明によれば、光源側端子部は、予め定める形状および大きさの光源側接続部を介して光源に接続される。回路側端子部は、予め設定される形状および大きさの回路側接続部を介して電気回路部に接続される。これによって、光源側接続部および回路側接続部を介して、フレキシブルプリント配線板およびＦＰＣ収容部の着脱が可能となるので、フレキシブルプリント配線板およびＦＰＣ収容部の取換えを容易にすることができる。したがって、フレキシブルプリント配線板の設計を変更しても、フレキシブルプリント配線板を容易に取換えることができる。
【００２３】
また本発明によれば、ＦＰＣ収容部は、複数種類のフレキシブルプリント配線板のうちから択一的に選択されるいずれか１つのフレキシブルプリント配線板を収容する。これによって、複数種類のフレキシブルプリント配線板を同一のＦＰＣ収容部に収容して取付けを行うことができる。したがって、ＦＰＣ収容部およびその取付けについて、汎用性を高くすることができる。
【００２４】
また本発明によれば、光ピックアップ装置は、回転駆動部をさらに含む。回転駆動部は、フレキシブルプリント配線板の少なくとも一部を巻き取る向きの回転駆動力を、ＦＰＣ収容部に収容される端子部に付与する。これによって回転駆動部は、フレキシブルプリント配線板のうちＦＰＣ収容部に収容される部分の割合を増大させる。これによって、フレキシブルプリント配線板をＦＰＣ収容部内に手動で巻き取る場合に比べて、迅速に巻き取ることができる。したがって、光ピックアップの組立製造にかかる時間を短縮することができる。
【００２５】
また本発明によれば、光源から発せられる光を光記録媒体に導く複数の光学系部品は、光学系部品群として形成される。光学系部品群は、全体として一体的に、フレキシブルプリント配線板およびＦＰＣ収容部とは別体に形成される。これによって、フレキシブルプリント配線板の着脱および交換が、光学系部品群の位置決めに対して影響することを防止することができる。したがって、フレキシブルプリント配線板およびＦＰＣ収容部の着脱および交換を容易にすることができる。
【００２６】
また本発明によれば、電子機器は、前記光ピックアップ装置と、電気回路部と、アクチュエータとを備える。アクチュエータは、光ピックアップ装置を変位させる。これによって、光ピックアップ装置の組立製造時にフレキシブルプリント配線板の露出する部分を低減した状態で、電子機器を組立製造することができる。したがって、組立製造時にフレキシブルプリント配線板に損傷が生じることを防止することができる。またフレキシブルプリント配線板が広い範囲に広がることを防止することができるので、フレキシブルプリント配線板が占める空間的領域を低減することができる。したがって組立製造の作業効率を向上させることができる。またフレキシブルプリント配線板が他の部品に引っ掛かることを防止することができる。したがってこれによっても、フレキシブルプリント配線板の損傷を防止することができる。
【００２７】
また電子機器において光ピックアップ装置は、変位可能であるので、仮にフレキシブルプリント配線板がＦＰＣ収容部に収容されていない状態で供給されれば、光ピックアップ装置の変位によって、フレキシブルプリント配線板が撓み、フレキシブルプリント配線板が占める空間的領域が広がるおそれがある。フレキシブルプリント配線板は、少なくとも一部がＦＰＣ収容部に収容された状態で供給されるので、組立工程の途中段階においてフレキシブルプリント配線板が他の部品に引っ掛かることを防止することができる。
【図面の簡単な説明】
【００２８】
【図１】本発明の第１実施形態に係る光ピックアップ装置１０の断面図である。
【図２】本発明の第１実施形態に係る電子機器１１の断面図である。
【図３】本発明の第１実施形態におけるフレキシブルプリント配線板１２およびＦＰＣ収容部１３の平面図である。
【図４】本発明の第１実施形態において回転駆動部に電力を供給するためのフレキシブルプリント基板５１の側面図である。
【図５】本発明の第１実施形態において給電部２１に含まれる、外側ドラム６０および内側ドラム７０とを表す図である。
【図６】本発明の第１実施形態における光ピックアップ装置１０の製造方法の工程を表すフローチャートである。
【図７】本発明の第２実施形態に係る電子機器１１の側面図である。
【図８】本発明の第３実施形態におけるフレキシブルプリント配線板１２およびＦＰＣ収容部１３の側面図である。
【図９】本発明の第４実施形態におけるフレキシブルプリント配線板１２およびＦＰＣ収容部１３の側面図である。
【図１０】第１の従来技術に係る光ピックアップ装置に搭載されたフレキシブルプリント配線板１を表す断面図である。
【発明を実施するための形態】
【００２９】
以下、図面を参照しながら、本発明を実施するための複数の形態について説明する。以下の説明においては、各形態に先行する形態ですでに説明している事項に対応している部分には同一の参照符を付し、重複する説明を略す場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。またそれぞれの実施形態は、本発明に係る技術を具体化するために例示するものであり、本発明の技術的範囲を限定するものではない。本発明に係る技術内容は、特許請求の範囲に記載された技術的範囲内において、種々の変更を加えることが可能である。以下の説明は、光ピックアップ装置１０、電子機器１１についての説明をも含む。
【００３０】
（第１実施形態）
図１は、本発明の第１実施形態に係る光ピックアップ装置１０の断面図である。図２は、本発明の第１実施形態に係る電子機器１１の断面図である。図２では、ＦＰＣ収容部１３は断面図として示しているけれども、フレキシブルプリント配線板１２については側面図として示している。第１実施形態に係る光ピックアップ装置１０は、光を用いて記録媒体から信号を取出す装置である。
【００３１】
第１実施形態に係る光ピックアップ装置１０は、光源１４と、フレキシブルプリント配線板１２と、ＦＰＣ収容部１３とを含んで構成される。光源１４は、光を発し、フレキシブルプリント配線板１２は、光源１４に対して電力を供給するための電気供給路の一部を成す。ＦＰＣ収容部１３は、フレキシブルプリント配線板１２の少なくとも一部を巻き取って収容する。
【００３２】
フレキシブルプリント配線板１２は、光源側端子部１６と、回路側端子部１７とを有する。光源側端子部１６は、光源１４に接続され、電気回路部１８に接続される。電気回路部１８は、光源１４に対する電力の供給部の少なくとも一部を成す。ＦＰＣ収容部１３は、フレキシブルプリント配線板１２のうち、光源側端子部１６および回路側端子部１７のいずれか一方を収容する。またＦＰＣ収容部１３には、開口１９が内部空間および外部空間を連通して形成される。開口１９には、回路側端子部１７および光源側端子部１６の間の途中位置の部分が挿通される。光ピックアップ装置１０は、給電部２１をさらに含んで構成される。給電部２１は、ＦＰＣ収容部１３に収容される端子部に対して電気的に接続して設けられる。
【００３３】
フレキシブルプリント配線板１２およびＦＰＣ収容部１３は、光源１４および電気回路部１８に対して着脱可能である。光源側端子部１６は、予め定める形状および大きさの光源側接続部２２を介して光源１４に接続される。回路側端子部１７は、予め設定される形状および大きさの回路側接続部２４を介して電気回路部１８に接続される。ＦＰＣ収容部１３は、複数種類のフレキシブルプリント配線板１２のうちから択一的に選択されるいずれか１つのフレキシブルプリント配線板１２を収容する。
【００３４】
光ピックアップ装置１０は、回転駆動部２６をさらに含む。回転駆動部２６は、フレキシブルプリント配線板１２の少なくとも一部を巻き取る向きの回転駆動力を、ＦＰＣ収容部１３に収容される端子部に付与する。これによって回転駆動部２６は、フレキシブルプリント配線板１２のうちＦＰＣ収容部１３に収容される部分の割合を増大させる。光源１４から発せられる光を、光記録媒体２７に導く複数の光学系部品は、全体として一体的に設けられ、フレキシブルプリント配線板１２およびＦＰＣ収容部１３とは別体に形成される。
【００３５】
電子機器１１は、前記光ピックアップ装置１０と、電気回路部１８と、図示していないアクチュエータとを備える。アクチュエータは、光学系部品群を変位させる。第１実施形態において電子機器１１は、光記録媒体２７に対して、情報の再生、記録、書換え、および消去のうちの少なくともいずれか１つの処理を行う。これらの処理を「情報処理」と称することがある。
【００３６】
たとえば光記録媒体２７がコンパクトディスク（compact disk, 略称「ＣＤ」）で、電子機器１１がＣＤに記録された音声情報を再生する音響再生装置であってもよく、また光記録媒体２７がデジタルバーサタイルディスク（digital versatile disk, 略称「ＤＶＤ」）で、電子機器１１がＤＶＤに記録された映像情報を再生する映像再生装置であってもよい。また光記録媒体２７が、ＣＤおよびＤＶＤの少なくともいずれか一方で、電子機器１１がパーソナルコンピュータであってもよい。
【００３７】
フレキシブルプリント配線板１２は、フレキシブルプリント回路またはフレキシブルプリント基板と称されることもあり、ＦＰＣ（flexible printed circuit）と略される場合もある。光ピックアップ装置１０は、光学系ユニット２８と、フレキシブルプリント配線板１２と、ＦＰＣ収容部１３とを含み、光学系ユニット２８は、光学系部品群を含む。光学系ユニット２８は、一体的に形成され、電子装置のうちの予め定める位置に予め定める姿勢で設置される。具体的には、光学系ユニット２８は、図示していないシャーシに取り付けることによって、機械的に位置決めされ支持される。電子機器１１が、光記録媒体２７の情報の再生、記録、書換え、消去のうちの少なくともいずれか１つの情報処理を行うときには、光源１４から光が出射された状態で、光学系ユニット２８は、シャーシに対して変位可能である。
【００３８】
光学系ユニット２８の変位は、アクチュエータによって行われる。アクチュエータは、電子機器１１のシャーシまたはシャーシ近傍の部材に取り付けられ、アクチュエータが駆動することによって、光学系ユニット２８が変位する。アクチュエータは、光記録媒体２７の記録表面上において、情報処理を行うべきトラックを選択するために光学系ユニット２８を変位させるとともに、光源１４から出射された光の集光点３２を、情報処理を行うべきトラック上に正確に位置させるための調整、すなわちトラッキングサーボを行うために、光学系ユニット２８を変位させる。
【００３９】
光学系ユニット２８は、受発光部３３と、ビームスプリッタ３４と、コリメートレンズ３６と、立上げミラー３８と、対物レンズ３９と、対物レンズホルダ４２とを光学系部品群として含み、さらに光学系部品群を外囲する光学系筐体４４を含む。受発光部３３は、光源１４と、受光部４５とを含む。ビームスプリッタ３４は、光源１４から出射され光記録媒体２７で反射した後の復路光を受光部４５に導く。受光部４５は、複数の受光領域を含み、各受光領域に入射した光の光強度に応じた電圧を出力する。各受光領域からの出力は、後述する対物レンズ３９と、光記録媒体２７上の選択されたトラックとの位置関係を制御するときに、利用される。光源１４および受光部４５は、本実施形態のように、一体化して設けられてもよく、またそれぞれ別体に形成され、光学系ユニット２８の光学系筐体４４に固定されていてもよい。
【００４０】
コリメートレンズ３６は、光源１４からの発散光の発散角を調整する。具体的には、光源１４からの光を平行光にする場合も多い。立上げミラー３８は、光源１４からの光を反射させて光路の進行方向を変更し、対物レンズ３９および光記録媒体２７に向かわせる。また立上げミラー３８は、光記録媒体２７からの復路光を反射させ、受発光部３３に向かわせる。
【００４１】
対物レンズ３９は、光源１４からの光を、光記録媒体２７上の選択されたトラック上に集光させる。また光記録媒体２７の記録表面上で反射した後の復路光は、対物レンズ３９を通り、受発光部３３に向かう。対物レンズホルダ４２は、対物レンズ３９を保持する。対物レンズ３９によって集光される光の集光点３２を、光記録媒体２７の選択されるトラックに対して位置調整するとき、すなわちフォーカシングサーボを行うときには、フォーカシングサーボ用の駆動機構によって、対物レンズホルダ４２の位置を調整する。フォーカシングサーボ用の駆動機構は、光学系ユニット２８の一部として他の光学系部品群とともに一体的に設けられる。光学系ユニット２８には、さらにλ／４板などを含んで構成される。
【００４２】
光学系部品群のうちのいくつかは、光学系ユニット２８を除く外部の部品に対して電気的に接続される必要がある。たとえば光源１４は、光を発するために電力供給が必要である。また受光部４５の各受光領域からの出力は、トラッキングサーボ、フォーカシングサーボおよび信号再生などに利用される。電子機器１１は、光学系部品群に含まれるいくつかのこれら部品に対し、電気的に接続される電気回路部１８を含む。電気回路部１８は、基板４６と、基板４６に実装される複数のディスクリート部品４７とを含み、複数の回路部を構成する。回路部は、光源１４およびフォーカシングサーボ用の駆動機構に対して電力を供給するための回路部と、受光部４５からの出力を処理するための回路部とを含む。
【００４３】
光学系ユニット２８に含まれる各部品と電気回路部１８とは、フレキシブルプリント配線板１２を介して互いに電気的に接続される。フレキシブルプリント配線板１２は、光源１４に対して電力を供給する電力供給路の一部を形成するとともに、光学系ユニット２８の受光部４５からの出力を電気回路側に伝送する伝送路の一部を成す。商用電源および電池などを含み、光源１４に対してフレキシブルプリント配線板１２を介して電力を供給する部分を総称して、「電力の供給部」とする。本実施形態で電力の供給部は、光学系ユニット２８に接続される電気回路部１８を含む。
【００４４】
アクチュエータの駆動によって光学系ユニット２８は、電気回路部１８に対して変位する。光学系ユニット２８の各部品と電気回路部１８とは、フレキシブルプリント配線板１２を介して互いに接続され、フレキシブルプリント配線板１２は、電気回路部１８に対する光学系ユニット２８の変位を供する。これによって、光学系ユニット２８の各部品と電気回路部１８との間で電力および電気信号を伝送することと、光学系ユニット２８が電気回路部１８に対して変位することとを両立することができる。
【００４５】
電子機器１１が完成し、情報処理に利用されるときには、フレキシブルプリント配線板１２の可撓性は、アクチュエータによる光学系ユニット２８の変位を許容するために重要である。しかし、従来技術においてフレキシブルプリント配線板１２は、組立作業の邪魔になることがある。可撓性を有することによって撓み、撓んだことによってフレキシブルプリント配線板１２が占有する空間的領域が広がる。これによって他の部品、製造に使用する道具、搬送経路の途中に配置される機械部品などに引っ掛かるおそれがある。フレキシブルプリント配線板１２が他の部品に引っ掛かれば、製造の作業効率が低下する。またフレキシブルプリント配線板１２に損傷が発生したり、他の部品による押圧の痕跡がフレキシブルプリント配線板１２に残る可能性がある。
【００４６】
たとえば特許文献１に開示される技術のように、フレキシブルプリント配線板１２の引っ掛かりを抑制するためにフレキシブルプリント配線板１２を折る技術も知られるけれども、フレキシブルプリント配線板１２が光学系ユニット２８から露出していることで、フレキシブルプリント配線板１２に引っ掛かりが生じたり、損傷および押圧の痕跡が生じたりする可能性をなくすことはできない。フレキシブルプリント配線板１２は光学系ユニット２８に含まれる部品と光学系ユニット２８の外部に位置する電気回路部１８との接続を行う必要があるので、フレキシブルプリント配線板１２全体を光学系筐体４４の内部空間に収納してしまうことはできない。
【００４７】
図２に示すように、第１実施形態では、フレキシブルプリント配線板１２は、ＦＰＣ収容部１３にその一部が収容される。具体的にはフレキシブルプリント配線板１２の可撓性を利用し、フレキシブルプリント配線板１２が巻き取られた状態で、ＦＰＣ収容部１３に収容される。ＦＰＣ収容部１３は、大略的に直方体の形状に形成され、一部に開口１９が形成される。ＦＰＣ収容部１３の内部空間は、フレキシブルプリント配線板１２を収容可能な大きさに形成される。ＦＰＣ収容部１３の開口１９の幅方向の内寸も、フレキシブルプリント配線板１２の幅寸法よりも大きく形成される。またＦＰＣ収容部１３には、光源側端子部１６および回路側端子部１７のいずれか一方を収容し、さらに収容する端子部に対して電気的に接続される給電部２１を収容する。
【００４８】
図３は、本発明の第１実施形態におけるフレキシブルプリント配線板１２およびＦＰＣ収容部１３の平面図である。図３では、ＦＰＣ収容部１３に収容されるフレキシブルプリント配線板１２を図示するために、ＦＰＣ収容部１３の一部を切欠いて図示している。図４は、本発明の第１実施形態において回転駆動部に電力を供給するためのフレキシブルプリント基板５１の側面図である。図４では、ＦＰＣ収容部１３の一部を切欠いて、回転駆動部に電力を供給するための、後述するフレキシブルプリント基板５１の側面を図示している。
【００４９】
第１実施形態においてＦＰＣ収容部１３は、光学系ユニット２８に対して固定して設けられ、フレキシブルプリント配線板１２の光源側端子部１６を収容する。光源側端子部１６は、給電部２１を介して光源１４および光学系ユニット２８の部品に接続される。回路側端子部１７は、ＦＰＣ収容部１３よりも外部に配置され、光源側端子部１６と回路側端子部１７との配線路上の途中位置のフレキシブルプリント配線板１２の一部は、開口１９に挿通される。
【００５０】
他の実施形態において、ＦＰＣ収容部１３が回路側端子部１７を収容する場合には、ＦＰＣ収容部１３をシャーシまたはその近傍に固定して設置してもよい。いずれの場合にも、ＦＰＣ収容部１３は、給電部２１を外囲する。
【００５１】
給電部２１の回転軸線Ｌ１は、アクチュエータの駆動によって光学系ユニット２８が変位する変位方向に対して垂直な方向に延びて配置される。ＦＰＣ収容部１３にその一部が収容されるフレキシブルプリント配線板１２は、給電部２１の回転軸線Ｌ１に垂直な方向に配置され、フレキシブルプリント配線板１２が開口１９から引き出された場合には、フレキシブルプリント配線板１２は光学系ユニット２８の変位方向に一致して延びて配置可能となる。光学系ユニット２８の変位方向は、対物レンズ３９に最も近接する位置におけるトラックの接線方向に垂直である。換言すれば、光学系ユニット２８の変位方向は、光記録媒体２７の回転に関する半径方向Ｘに一致する。本明細書において、「平行」は略平行を含み、「垂直」は略垂直を含む。前記開口１９の幅方向は、回転軸線Ｌ１の軸線方向Ｙに一致する。
【００５２】
図５は、本発明の第１実施形態において給電部２１に含まれる、外側ドラム６０および内側ドラム７０とを表す図である。図５（ａ）には、外側ドラム６０の斜視図を表し、図５（ｂ）には内側ドラム７０の斜視図を表し、図５（ｃ）には、外側ドラム６０および内側ドラム７０の断面図を表す。図５（ｃ）は、給電部２１を、外側ドラム６０および内側ドラム７０の軸線に垂直な仮想平面で切断して見た断面図である。外側ドラム６０および内側ドラム７０の軸線は、給電部２１の回転軸線Ｌ１に一致する。
【００５３】
給電部２１は、ＦＰＣ収容部１３に固定される一対のアーム部８１と、各アーム部８１の半径方向Ｘ一方側に位置する端部に接続される外側ドラム６０と、外側ドラム６０に対して電気的接触が保たれた状態で回転可能な内側ドラム７０とを含む。外側ドラム６０は、フレキシブルプリント配線板１２に接続され、複数の外側導体層６１および複数の外側絶縁層６２とを含む。
【００５４】
図５（ａ）において、外側導体層６１は、ハッチングを付して図示している。外側導体層６１および外側絶縁層６２は、１つずつ交互に回転軸線Ｌ１方向に並ぶ。各外側導体層６１および各外側絶縁層６２は、回転軸線Ｌ１に関する半径方向には１層として形成され、回転軸線Ｌ１に関する円環状に形成される。円環状に形成される各外側導体層６１および各外側絶縁層６２は、回転軸線Ｌ１に垂直に、回転軸線Ｌ１まわりの周方向に延びて形成される。外側導体層６１は、フレキシブルプリント配線板１２の光源側端子部１６の導体配線が電気的に接続される。
【００５５】
図５（ｂ）に示す内側ドラム７０は、給電部２１の一対のアーム部８１に固定され、複数の内側導体層７１、複数の内側絶縁層７２および複数の突出部７３を含む。図５（ｂ）において内側導体層７１は、ハッチングを付して図示している。内側ドラム７０は、外側ドラム６０と同軸に、かつ回転軸線Ｌ１に関して半径方向内方に配置される。内側導体層７１および内側導体層７２は、１つずつ交互に回転軸線Ｌ１方向に並ぶ。各内側導体層７１および各内側絶縁層７２は、回転軸線に関する半径方向には１層として形成され、回転軸線Ｌ１に関する円環状に形成される。円環状に形成される各内側導体層７１および各内側絶縁層７２は、回転軸線Ｌ１に垂直に、回転軸線Ｌ１まわりの周方向に延びて形成される。
【００５６】
突出部７３は、導電性材料から成り、各内側導体層７１に機械的および電気的に接続して複数設けられ、各内側導体層７１の半径方向外方の表面上に、半径方向外方に突出して設けられる。内側ドラム７０が外側ドラム６０の内方に配置されるとき、突出部７３は、外側導体層６１に対して半径方向内方から接触する。各外側導体層６１と各内側導体層７１とは互いに対応し、各内側導体層７１に設けられる複数の突出部７３は、少なくとも一部、本実施形態では全部が外側導体層６１に接触する。突出部７３は、たとえばブラシであってもよい。
【００５７】
外側ドラム６０が内側ドラム７０に対して回転軸線まわりに角変位すると、外側導体層６１と突出部７３とは摺動する。外側ドラム６０と内側ドラム７０との回転軸線Ｌ１方向の相対位置は、ずれが阻止されて決められている。さらに外側絶縁層６２は、外側導体層６１の半径方向内方の表面よりも半径方向内方に、盛り上がった形状に形成されていることが好ましい。これによって、半径方向内方から外側導体層６１に接触した突出部７３が、外側導体層６１に対して回転軸線Ｌ１方向にずれることを確実に防止することができる。外側ドラム６０と内側ドラム７０との周方向の変位、すなわち角変位は、３６０度以上および３６０度以上の両方が許容される。
【００５８】
給電部２１は、図示しない複数のリード線を含み、各リード線は、各内側導体層７１に対して半径方向内方から、機械的および電気的に接続されている。複数のリード線は、互いに接触しても電気的な接続を阻止するように、被覆電線からなる。複数のリード線は、アーム部８１内を通して配置され、光源側接続部２２に接続される。
【００５９】
給電部２１には、小形モータ４８が設けられ、小形モータ４８の出力軸の軸線は、回転軸線Ｌ１に一致して設けられる。小形モータ４８の出力軸は、ＦＰＣ収容部１３に対して固定して設けられる。具体的には小形モータ４８の出力軸は、内側ドラム７０に対して固定して設けられる。小形モータ４８のうち出力軸を除くモータ本体は、ＦＰＣ収容部１３に収容されるフレキシブルプリント配線板１２の端子部、本実施形態では光源側端子部１６と共に回転可能である。具体的には、小形モータ４８のモータ本体は、外側ドラム６０に対して固定して設けられる。
【００６０】
これによって、フレキシブルプリント配線板１２が延びた状態で小形モータ４８に電力が供給され小形モータ４８が駆動すると、ＦＰＣ収容部１３に対して固定される出力軸に対して、モータ本体が回転する。これによって、フレキシブルプリント配線板１２の光源側端子部１６がＦＰＣ収容部１３に対して回転する。したがって、フレキシブルプリント配線板１２は給電部２１を中心に巻き取られ、ＦＰＣ収容部１３の内部空間に収容される。小形モータ４８は、たとえばダイレクトドライブモータなどによって実現される。
【００６１】
本実施形態において給電部２１は、互いに角変位可能な外側ドラム６０および内側ドラム７０を含んで構成されるものとしたけれども、必ずしもこれに限定されるものではない。たとえば他の実施形態において、給電部２１のアーム部８１に、小形モータ４８のモータ本体が固定して設けられる構成とすることも可能である。この場合には、たとえば、光源側端子部１６に対して固定されるドラムを設け、小形モータ４８の出力軸がドラムと共に回転する構成とする。ドラムは、前述の外側ドラム６０に類似して構成され、ドラムの半径方向内方に、各導体層に接続されたリード線を設ける。ドラムが給電部２１のアーム部８１に対して角変位しても、この角変位が最大角度であるのときのリード線のねじれが許容されるならば、ドラムの角変位を問題なく許容することができる。
【００６２】
第１実施形態において、光ピックアップ装置１０を含む電子機器１１の組立製造が終了し、電子機器１１が使用者によって使用される状態において、フレキシブルプリント配線板１２はＦＰＣ収容部１３から引き出されて使用される。使用される状態においては、アクチュエータの駆動によって光学系ユニット２８が変位し、それに伴ってフレキシブルプリント配線板１２はＦＰＣ収容部１３の開口１９から引き出される。開口１９から引き出されたフレキシブルプリント配線板１２は、電子機器１１の使用途中においてＦＰＣ収容部１３に収容される必要はない。本実施形態に係る電子機器１１の組立製造が終了すれば、フレキシブルプリント配線板１２は、周囲の部材によって変位が抑制され、かつフレキシブルプリント配線板１２に損傷が生じることは防止された状態で完成する。
【００６３】
小形モータ４８を駆動するための電力は、給電部２１を介して小形モータ４８に供給される。小形モータ４８への電力供給に用いられた供給路は、たとえば専用のフレキシブルプリント基板５１を用いて行うこともできる。小形モータ４８には、組立製造が終了した後には電力を供給する必要はないので、小形モータ４８への電力供給に用いられた供給路は、組立製造のうちに遮断または除去して組立製造を終了してもよい。
【００６４】
図６は、本発明の第１実施形態における光ピックアップ装置１０の製造方法の工程を表すフローチャートである。本実施形態において光ピックアップ装置１０の製造方法は、ＦＰＣ収容部設置工程と、電気的接続工程と、光学系部品調整工程と、固定保持工程とを含んで構成される。本処理に先立って、ＦＰＣ収容部１３に収容されるべきフレキシブルプリント配線板１２の端子部は、給電部２１に接続された状態で、ＦＰＣ収容部１３に収容された状態としておく。
【００６５】
本処理開始後、ステップａ１のＦＰＣ収容部設置工程に移行し、ＦＰＣ収容部１３の設置を行う。第１実施形態では、ＦＰＣ収容部１３は、光源側端子部１６を収容するので、給電部２１は、光源１４に電気的に接続され、光源側端子部１６は、給電部２１に接続される。ＦＰＣ収容部１３は、光学系ユニット２８に対して固定して設置される。
【００６６】
次にステップａ２の電気的接続工程に移行し、光源１４に電力を供給可能に、組立を行う。フレキシブルプリント配線板１２の回路側端子部１７は、電気回路部１８に接続される。シャーシに対する光学系ユニット２８の位置は、フレキシブルプリント配線板１２のうち、より多くの部分がＦＰＣ収容部１３に収容された状態で、フレキシブルプリント配線板１２と光学系ユニット２８との電気的接続を行うことのできる位置であることが好ましい。すなわち、アクチュエータの駆動による光学系ユニット２８の可動範囲のうち、最も電気回路部１８に近い位置に光学系ユニット２８が位置している状態であることが好ましい。
【００６７】
この状態でフレキシブルプリント配線板１２の端子部の電気的接続および次のステップａ３に移行する。ステップａ３の光学系部品調整工程では、光学系ユニット２８の姿勢を調整する。これは、光源１４から発せられ対物レンズ３９で屈折して集光される光線束が、光記録媒体２７上の望むトラックに集光される状態とするために行われ、シャーシに対する光学系ユニット２８の、上下左右前後に関する並進と、上下左右前後に延びる軸線まわりの角変位とによって、調整する。他の実施形態において光学系ユニット２８の位置調整は、３方向の並進および３方向の軸線まわりの角変位よりも自由度の小さい駆動による位置調整であってもよい。
【００６８】
次に、ステップａ４の固定保持工程に移行し、位置決めされた状態で、光学系部品群を固定する。これによって、光学系部品群を含む光学系ユニット２８は、シャーシによって保持される。ステップａ４における固定保持工程では、フレキシブルプリント配線板１２、ＦＰＣ収容部１３および給電部２１が、光学系ユニット２８および電気回路部１８に対して着脱可能である状態において、シャーシによる光学系部品群の固定および保持を終了する。その後、本処理は終了する。
【００６９】
小形モータ４８のモータ本体と出力軸とは、電力供給されない状態において互いに回転自在である。これによって、小形モータ４８に対する電力供給を停止して電子機器１１を出荷しても、アクチュエータの駆動が妨げられることはない。
【００７０】
第１実施形態によれば、フレキシブルプリント配線板１２は、光源１４に対して電力を供給するための電気供給路の一部を成し、ＦＰＣ収容部１３は、フレキシブルプリント配線板１２の少なくとも一部を巻き取って収容する。これによって、光ピックアップ装置１０の組立製造時にフレキシブルプリント配線板１２の露出する部分を低減することができる。したがって、組立製造時にフレキシブルプリント配線板１２に損傷が生じることを防止することができる。
【００７１】
またフレキシブルプリント配線板１２が広い範囲に広がることを防止することができるので、フレキシブルプリント配線板１２が占める空間的領域を低減することができる。したがって組立製造の作業効率を向上させることができる。またフレキシブルプリント配線板１２が他の部品に引っ掛かることを防止することができる。したがってこれによっても、フレキシブルプリント配線板１２の損傷を防止することができる。
【００７２】
また第１実施形態によれば、ＦＰＣ収容部１３は、フレキシブルプリント配線板１２のうち、光源側端子部１６および回路側端子部１７のいずれか一方を収容する。またＦＰＣ収容部１３には、開口１９が内部空間および外部空間を連通して形成される。開口１９には、回路側端子部１７および光源側端子部１６の間の途中位置の部分が挿通される。光ピックアップ装置１０は、給電部２１をさらに含んで構成される。給電部２１は、ＦＰＣ収容部１３に収容される端子部に対して電気的に接続して設けられる。
【００７３】
これによって、フレキシブルプリント配線板１２の少なくとも一部がＦＰＣ収容部１３に収容された状態のまま、フレキシブルプリント配線板１２およびＦＰＣ収容部１３を実装することができる。したがって、フレキシブルプリント配線板１２全体をＦＰＣ収容部１３から取出すことなく実装することができるので、ＦＰＣ収容部１３によってフレキシブルプリント配線板１２を保護することができる。またフレキシブルプリント配線板１２が占める空間的領域を制限した状態において組立製造することができる。
【００７４】
また第１実施形態によれば、光ピックアップ装置１０は、回転駆動部２６をさらに含む。回転駆動部２６は、フレキシブルプリント配線板１２の少なくとも一部を巻き取る向きの回転駆動力を、ＦＰＣ収容部１３に収容される端子部に付与する。これによって回転駆動部２６は、フレキシブルプリント配線板１２のうちＦＰＣ収容部１３に収容される部分の割合を増大させる。
【００７５】
これによって、フレキシブルプリント配線板１２をＦＰＣ収容部１３内に手動で巻き取る場合に比べて、迅速に巻き取ることができる。したがって、光ピックアップの組立製造にかかる時間を短縮することができる。
【００７６】
また第１実施形態によれば、電子機器１１は、前記光ピックアップ装置１０と、電気回路部１８と、アクチュエータとを備える。アクチュエータは、光学系部品群を変位させる。
【００７７】
これによって、フレキシブルプリント配線板１２の露出する部分を低減した状態で、電子機器１１を組立製造することができる。したがって、フレキシブルプリント配線板１２が占める空間的領域を低減することで、組立製造の作業効率を向上させることができる。またフレキシブルプリント配線板１２が他の部品に引っ掛かることを防止することでも、フレキシブルプリント配線板１２の損傷を防止することができる。
【００７８】
また電子機器１１において光ピックアップ装置１０は、変位可能であるので、仮にフレキシブルプリント配線板１２がＦＰＣ収容部１３に収容されていない状態で供給されれば、光ピックアップ装置１０の変位によって、フレキシブルプリント配線板１２が撓み、フレキシブルプリント配線板１２が占める空間的領域が広がるおそれがある。フレキシブルプリント配線板１２は、少なくとも一部がＦＰＣ収容部１３に収容された状態で供給されるので、組立工程の途中段階においてフレキシブルプリント配線板１２が他の部品に引っ掛かることを防止することができる。
【００７９】
さらに光ピックアップ装置１０の製造方法では、ＦＰＣ収容部設置工程と、電気的接続工程と、光学系部品調整工程と、固定保持工程とを含む。ＦＰＣ収容部設置工程では、フレキシブルプリント配線板１２がＦＰＣ収容部１３に収容された状態で、フレキシブルプリント配線板１２およびＦＰＣ収容部１３の設置を行うので、ＦＰＣ収容部設置工程の後、アクチュエータが稼動するよりも前の段階において、フレキシブルプリント配線板１２に損傷が生じることを防止しながら、組立製造を行うことができる。
【００８０】
さらに第１実施形態においてフレキシブルプリント配線板１２、ＦＰＣ収容部１３および給電部２１は、光学系ユニット２８の位置決めが終了した状態において、光学系ユニット２８および電気回路部１８に対して着脱可能である。これによって、フレキシブルプリント配線板１２に取換えの必要が生じた場合であっても、光学系ユニット２８における光学系部品群の相対位置を変更することなく、フレキシブルプリント配線板１２、ＦＰＣ収容部１３および給電部２１を容易に取換えることができる。
【００８１】
（第２実施形態）
図７は、本発明の第２実施形態に係る電子機器１１の側面図である。図７では、ＦＰＣ収容部１３に収容されるフレキシブルプリント配線板１２を図示するために、ＦＰＣ収容部１３の一部を切欠いて図示している。第２実施形態に係る光ピックアップ装置１０は、第１実施形態に係る光ピックアップ装置１０に類似しており、以下、第１実施形態に対する第２実施形態の相違点を中心に説明する。
【００８２】
フレキシブルプリント配線板１２およびＦＰＣ収容部１３は、光源１４および電気回路部１８に対して着脱可能である。光源側端子部１６は、予め定める形状および大きさの光源側接続部２２を介して光源１４に接続される。回路側端子部１７は、予め設定される形状および大きさの回路側接続部２４を介して電気回路部１８に接続される。ＦＰＣ収容部１３は、複数種類のフレキシブルプリント配線板１２のうちから択一的に選択されるいずれか１つのフレキシブルプリント配線板１２を収容する。光源１４から発せられる光を、光記録媒体２７に導く複数の光学系部品は、全体として一体的に設けられ、フレキシブルプリント配線板１２およびＦＰＣ収容部１３とは別体に形成される。
【００８３】
第２実施形態において、ＦＰＣ収容部１３は、シャーシ５２またはシャーシ５２近傍の部材に固定して取付けられ、光学系ユニット２８がシャーシ５２に対して変位するときには、光学系ユニット２８とＦＰＣ収容部１３との距離は、変化する。本実施形態においてＦＰＣ収容部１３は、具体的にはシャーシ５２に取付けられる。
【００８４】
ＦＰＣ収容部１３には、回路側端子部１７が収容され、回路側端子部１７には給電部２１が接続される。給電部２１は、電気回路部１８に接続される。フレキシブルプリント配線板１２の光源側端子部１６は、ＦＰＣ収容部１３の外部空間に配置され、光学系ユニット２８に含まれる部品に電気的に接続される。光源側端子部１６は、開口１９に挿通されるフレキシブルプリント配線板１２の一部を介して、ＦＰＣ収容部１３の内部空間に位置する回路側端子部１７に接続されている。
【００８５】
光源側端子部１６は、ピンコネクタを含んで構成され、光学系ユニット２８には、ピンコネクタに対応する光源側接続部２２が形成される。光源側接続部２２は、ピンコネクタに嵌合するコネクタによって実現される。給電部２１から延びて形成される配線は、フレキシブルプリント基板５１によって実現されてもよく、またフレキシブルではない基板を含んで実現されてもよい。給電部２１は、回路側接続部２４を介して電気回路部１８に接続される。回路側接続部２４は、たとえば予め定める形状および大きさに形成されるジョイントであって、電気回路部１８には、回路側接続部２４と嵌合可能な端子部が形成される。
【００８６】
ＦＰＣ収容部１３は、シャーシ５２またはその近傍の電子機器１１の部品に対して、ねじ部材の螺合または嵌合部同士の嵌合によって取付けられる。ＦＰＣ収容部１３を取付ける、ねじ部材または嵌合部は、螺合、嵌合の解除可能に設けられる。電子機器１１が完成した状態からＦＰＣ収容部１３の着脱が可能となる状態となるまでに、部品および部品群の取外し回数は、少ないほど好ましい。これによって、点検、清掃および修理においてもフレキシブルプリント配線板１２の着脱を容易に行うことができる。
【００８７】
第２実施形態では、フレキシブルプリント配線板１２の光源側端子部１６と、給電部２１に接続される回路側接続部２４とは、それらの形状および大きさについて予め設定される。これに対し、光源側端子部１６を含み給電部２１に接続されるフレキシブルプリント配線板１２は、たとえば配線方向の長さなどが互いに異なる複数種類に形成されることを許容する。個々の光ピックアップ装置１０において、１つのＦＰＣ収容部１３および給電部２１は、１つのフレキシブルプリント配線板１２が配置され、フレキシブルプリント配線板１２は、複数種類に定められるフレキシブルプリント配線板１２のうちの、いずれか１種類のフレキシブルプリント配線板１２である。
【００８８】
フレキシブルプリント配線板１２における光源側端子部１６と、給電部２１に接続される回路側接続部２４とが、形状および大きさについて予め設定されることによって、ＦＰＣ収容部１３に収容されるフレキシブルプリント配線板１２の種類が異なっても、光学系ユニット２８に形成されるコネクタおよび電気回路部１８に形成される端子部が、光源側端子部１６と回路側接続部２４とにそれぞれ対応して形成されることによって、ＦＰＣ収容部１３およびその設置構造を変更することなく設置することができる。
【００８９】
換言すれば、光学系ユニット２８に形成されるコネクタおよび電気回路部１８に形成される端子部が予め定める形状および大きさに作製されることを前提として、光源側端子部１６と回路側接続部２４とをそれぞれ予め設定される形状および大きさに形成することによって、フレキシブルプリント配線板１２を複数種類のうちから択一的に選択して設置することができる。これによって、ＦＰＣ収容部１３および給電部２１の汎用性を高くすることができる。
【００９０】
またフレキシブルプリント配線板１２、ＦＰＣ収容部１３および給電部２１を一体的に形成し、光学系ユニット２８に対して別体として形成することによって、フレキシブルプリント配線板１２、ＦＰＣ収容部１３および給電部２１の設置を容易にすることができる。フレキシブルプリント配線板１２、ＦＰＣ収容部１３および給電部２１を含んで一体的に形成された部品群を「ＦＰＣユニット」と称すると、特に光学系ユニット２８の形成が、ＦＰＣユニットの取付け前に終了している状態であれば、ＦＰＣユニットの設置によって、光学系ユニット２８が位置ずれを起こすことがない。
【００９１】
第２実施形態によれば、フレキシブルプリント配線板１２およびＦＰＣ収容部１３は、光源１４および電気回路部１８に対して着脱可能である。これによって、フレキシブルプリント配線板１２およびＦＰＣ収容部１３を容易に取換えることができる。したがって、修理する場合および設計変更した場合の取換えも容易に行うことができる。これによって設計変更自体も容易化することができる。したがって、汎用性の高い光ピックアップ装置１０とすることができる。
【００９２】
また第２実施形態によれば、光源側端子部１６は、予め定める形状および大きさの光源側接続部２２を介して光源１４に接続される。回路側端子部１７は、予め設定される形状および大きさの回路側接続部２４を介して電気回路部１８に接続される。これによって、光源側接続部２２および回路側接続部２４を介して、フレキシブルプリント配線板１２およびＦＰＣ収容部１３の着脱が可能となるので、フレキシブルプリント配線板１２およびＦＰＣ収容部１３の取換えを容易にすることができる。したがって、フレキシブルプリント配線板１２の設計を変更しても、フレキシブルプリント配線板１２を容易に取換えることができる。
【００９３】
また、電子機器１１の利用者による電子機器１１の使用の後、光ピックアップ装置１０およびその近傍の部品についての点検、清掃または修理が必要となった場合にも、ＦＰＣユニットを一体的に取外し、除外することができるので、作業の途中段階においてフレキシブルプリント配線板１２に損傷および押圧の痕跡が生じることを防止することができる。したがって、作業を容易にすることができる。またフレキシブルプリント配線板１２を交換する必要性が認められる場合に、フレキシブルプリント配線板１２の交換を容易にすることができる。
【００９４】
また第２実施形態によれば、ＦＰＣ収容部１３は、複数種類のフレキシブルプリント配線板１２のうちから択一的に選択されるいずれか１つのフレキシブルプリント配線板１２を収容する。これによって、複数種類のフレキシブルプリント配線板１２を同一のＦＰＣ収容部１３に収容して取付けを行うことができる。したがって、ＦＰＣ収容部１３およびその取付けについて、汎用性を高くすることができる。
【００９５】
また第２実施形態によれば、光源１４から発せられる光を、光記録媒体２７に導く複数の光学系部品は、光学系ユニット２８として全体に一体的に設けられ、フレキシブルプリント配線板１２およびＦＰＣ収容部１３とは別体に形成される。これによって、フレキシブルプリント配線板１２の着脱および交換が、光学系部品群の位置決めに対して影響することを防止することができる。したがって、フレキシブルプリント配線板１２およびＦＰＣ収容部１３の着脱および交換を容易にすることができる。
【００９６】
（第３実施形態）
図８は、本発明の第３実施形態におけるフレキシブルプリント配線板１２およびＦＰＣ収容部１３の側面図である。図８では、ＦＰＣ収容部１３に収容されるフレキシブルプリント配線板１２を図示するために、ＦＰＣ収容部１３の一部を切欠いて図示している。第３実施形態に係る光ピックアップ装置１０は、第１実施形態に係る光ピックアップ装置１０に類似しており、以下、第１実施形態に対する第３実施形態の相違点を中心に説明する。
【００９７】
第３実施形態において、光ピックアップ装置１０は、浮き上がり防止機構をさらに含んで構成される。浮き上がり防止機構は、ＦＰＣ収容部１３の外部空間において、フレキシブルプリント配線板１２の変位を抑制する。光ピックアップ装置１０において、対物レンズ３９から光記録媒体２７の記録面上の集光点３２に向かう向きを、「照射光軸方向一方」と称し、これと同一方向で、かつ反対の向きを「照射光軸方向他方」と称する。
【００９８】
アクチュエータの駆動によってフレキシブルプリント配線板１２がＦＰＣ収容部１３から開口１９を介して引き出された状態において、フレキシブルプリント配線板１２は、照射光軸方向には垂直な方向に延びる。浮き上がり防止機構は、ＦＰＣ収容部１３の開口１９を通過してフレキシブルプリント配線板１２が外方に引き出された状態において、フレキシブルプリント配線板１２と平行に延びる平板状の部材５４を含む。この平板状の部材５４は、ＦＰＣ収容部１３に固定して、フレキシブルプリント配線板１２よりも照射方向一方Ｚ１に配置して設けられる。これによって、アクチュエータの駆動によってフレキシブルプリント配線板１２が撓んだ状態において、フレキシブルプリント配線板１２が浮き上がり防止機構よりも照射方向一方Ｚ１に変位することを防止する。
【００９９】
これによって第３実施形態では、光ピックアップ装置１０を変位させるアクチュエータが駆動し、フレキシブルプリント配線板１２がＦＰＣ収容部１３から引き出されたときに、光ピックアップ装置１０が変位しても、フレキシブルプリント配線板１２が浮き上がることを防止することができる。これによって、フレキシブルプリント配線板１２の占める空間的領域が広がることを防止することができる。したがって、フレキシブルプリント配線板１２が他の部品に引っ掛かることを防止することができ、フレキシブルプリント配線板１２が損傷を受けることを防止することができる。またフレキシブルプリント配線板１２が広がりはみ出すことによる美観の低下をも防止することができる。
（第４実施形態）
図９は、本発明の第４実施形態におけるフレキシブルプリント配線板１２およびＦＰＣ収容部１３の側面図である。図９では、ＦＰＣ収容部１３に収容されるフレキシブルプリント配線板１２を図示するために、ＦＰＣ収容部１３の一部を切欠いて図示している。第４実施形態に係る光ピックアップ装置１０は、第１実施形態に係る光ピックアップ装置１０に類似しており、以下、第１実施形態に対する第４実施形態の相違点を中心に説明する。
【０１００】
第４実施形態においてＦＰＣ収容部１３は、光学系ユニット２８の一部として形成される。具体的には、光源１４からの光を光記録媒体２７に導く光学系部品群を収納する筐体の一部として形成される。この筐体には、光学系部品群を収納する光学系部品用の内部空間と、フレキシブルプリント配線板１２を巻き取られた状態で収容するＦＰＣ用の内部空間とが形成される。ＦＰＣ用の内部空間は、閉鎖的に外部空間から隔てられるのではなく、凹部４９として形成される。
【０１０１】
フレキシブルプリント配線板１２は、凹部４９として形成されたＦＰＣ用の内部空間の隅において、配置される。フレキシブルプリント配線板１２は、巻き取られることによって、ＦＰＣ用の内部空間の隅において占有する空間的領域を小さく維持して配置される。特にフレキシブルプリント配線板１２が、巻取りに対する反力によって、巻き取られた状態から延び広がろうとする傾向が小さければ小さいほど、特にＦＰＣ用の内部空間を、ＦＰＣ収容部１３の外部空間に対して開かれた凹部４９として形成することも可能である。
【符号の説明】
【０１０２】
１０  光ピックアップ装置
１１  電子機器
１２  フレキシブルプリント配線板
１３  ＦＰＣ収容部
１４  光源
１６  光源側端子部
１７  回路側端子部
１８  電気回路部
１９  開口
２１  給電部
２２  光源側接続部
２４  回路側接続部
２６  回転駆動部
２７  光記録媒体
２８  光学系ユニット
４４  光学系筐体
４８  小形モータ
４９  凹部
５４  平板状の部材
６０  外側ドラム
７０  内側ドラム
【図１】
2011096308.tif 000003
【図２】
2011096308.tif 000004
【図３】
2011096308.tif 000005
【図４】
2011096308.tif 000006
【図５】
2011096308.tif 000007
【図６】
2011096308.tif 000008
【図７】
2011096308.tif 000009
【図８】
2011096308.tif 000010
【図９】
2011096308.tif 000011
【図１０】
2011096308.tif 000012